(57)【要約】【課題】建築設計用作図帳で作図及びトレースを容易にする。【解決手段】作図帳中に綴じ込んだトレーシングペーパーには係合孔の上側に切れ目を入れ、トレーシングペーパーの作図帳よりの離脱と、再挿着を容易にした。【選択図】図３
0003113726.tif 000002
【実用新案登録請求の範囲】
【請求項１】
レイアウト線を設けた作図用紙複数枚と、
トレーシングペーパー複数枚を連綴用留金具で連綴してある建築設計用作図帳において、
前記トレーシングペーパーの連綴個所は留金具の中間に該当する上側に切欠部を設けてあり、留金具より取外し容易でかつ、作図用紙に重ねて、連綴個所を留金具に容易に係合でき、固定してトレースを行いうる如くした建築設計用作図帳。
【請求項２】
片面が作図ガイド用方眼図形で、他の片面が透視図用のレイアウト線を印刷してある所要枚数の作図用紙と、複数枚数のトレーシングペーパーをリング状留金具で連綴してある請求項１記載の建築設計用作図帳において、
前記トレーシングペーパーの連綴個所は、上側に切断個所を設け、かつ下側の引抜き力には抗する様な形状とし、帳面に綴じられているときは下側への引抜き力には抗して脱落しないが、上側に持ち上げれば容易に係合が外れて１枚づつ個別に取外し可能な形状とし、これを前記レイアウト線のある作図用紙上にのせて、連綴個所を留金具に押し込むと容易にかつ確実に係合し、連綴状態となり、トレーシングペーパーを安定に固定してトレースを可能とすることを特徴とする建築設計用作図帳。
【請求項３】
請求項２記載の建築設計用作図帳において、
前記トレーシングペーパーの連綴係合用の係合個所の形状は、下側に安定係合用個所として矩形状孔を設け、その上側は切断されているが左右より留金具と係合するような、きのこ形状の突起部を設け、かつその上側に挿入を容易にする傾斜部を設けてなる建築設計用作図帳。
【請求項４】
請求項２記載の建築設計用作図帳において、
前記留金具は左右に１０個づつの連綴部を有してなる建築設計用作図帳。
【請求項５】
請求項２記載の建築設計用作図帳において、
作図用紙を２０〜３０枚とし、
トレーシングペーパーを５〜１０枚とし、かつ所要に応じ増加し得る如くした建築設計用作図帳。
【考案の詳細な説明】
【技術分野】
【０００１】
本考案は、複数枚の作図用紙とトレーシングペーパーと連綴してなる建築設計用作図帳に関する。
【背景技術】
【０００２】
従来よりこのような作図用紙は既知である。例えば、特開２００４−２７６３４１号（特許資料１）には、レイアウト線を設けてある作図用紙が発表されている。
【０００３】
しかし、このような作図用紙に作図したもの、とくに下書きしたものを浄書するには、その上にトレーシングペーパーを載置して浄書する必要がある。
【０００４】
さらに特開昭５３−１１２６９９号（特許資料２）にも作図用矩眼紙が開示されている。
又特開昭５２−１３４５１７号（特許資料３）は、見出し別設計仕様が開示されている。さらに特許文献４もほぼこれと同じである。
【０００５】
【特許文献１】特開２００４−２７６３４１
【特許文献２】特開昭５３−１１２６９９
【特許文献３】特開昭５２−１３４５１７
【特許文献４】特開昭５２−２１８００
【考案の開示】
【考案が解決しようとする課題】
【０００６】
建築士の仕事として、住宅設計等の際、依頼者への説明用レイアウトを、種々手書きで作成し、かつ説明することが多く、住宅の間取り図等は方眼のレイアウト線のあるページに手書きし、又立体的見取り図、（斜視図、透視図とも称され、パース図とも呼称される）等には、遠近式レイアウト線が印刷してある用紙に手書きをして、プレゼンテーション時に依頼者と種々協議し、相談をまとめてゆく。
この際の下図より図面を起こす際には、手書きした下図の上にトレーシングペーパーを重ね、動かないように一端縁を接着テープ等で固定するようなことが行われている。
しかし、テープで固定するには手間がかかり、かつ仕上りがきたなくなるという欠点がある。
【課題を解決するための手段】
【０００７】
本考案はこのような不便を解消し、簡単な手順で、作図用紙の上にトレーシングペーパーを固定し正式な作図を可能にするものである。
【考案の効果】
【０００８】
本考案による作図帳は、次の如くの利点が存する。
(1) 上下見開きで平面図と透視図（パース図）が描けるので、設計者にとって便利で使い易い。
(2) プレゼンテーションにも効果を発揮できる。
(3) お客様にも分かり易い。
(4) トレーシングペーパーを挿入できるので、修正が簡単で決定図面として使用できる。
(5) 従来のリングノートでは、頁の抜き差しは不可能であったが、本考案のような加工を施すことで抜き差しを可能にした。
【考案を実施するための最良の形態】
【０００９】
図面を参照して本考案を説明する。
図１は本考案に係る作図帳の表紙を示すものである。なお、図中の模様は本考案と関係がない。
本作図帳は厚紙の表紙と裏表紙の間に作図用紙とトレーシングペーパーがそれぞれ所要枚数綴じ込んである。
【００１０】
本作図帳を上下見開にして広げると、図２に示すように一方は方眼用レイアウト線が薄色で施してあり、他方には立体図用（パース図用）レイアウトが施してある。従って建築の説明に当り、これらレイアウトに沿って下図を容易に作成できる。
【００１１】
図３は、本考案の特徴であるトレーシングペーパーの綴込み個所を他の図に比し拡大尺度で示すものである。
【００１２】
トレーシングペーパー（１０）の連綴個所は図３に示すように、矩形状の綴じ込み孔（１２）の上側及び両側にきのこ状の角が鋭くとがった突出片（１４）が設けてあり、その上側、すなわち両突出片（１４）と（１４）との間には切れ目（１６）が設けてある。
このような構造とすることによりトレーシングペーパーは、作図帳に綴じ込まれている時は綴じ金具と突出片（１４）の両あご部の係合で確実に保持されているが、これを取外すには、作図帳を開いた状況で右又は左より上側に持ち上げるようにすると上記切れ目（１６）の作用でペーパー面に傷をつけずに容易に取外すことができる。
【００１３】
従ってこのようにして取外したトレーシングペーパーを見開きにした作図紙の上に重ねかつ、図４の右側円内の拡大図に示した如く、前記きのこ状の突出片（１４）をボールペンの先等細いもので押し込むことにより、極めて容易に、かつ確実に綴じ込み状態とすることができる。
【００１４】
トレーシングペーパー（１０）は矩形状の綴じ込み孔（１２）によってその位置が堅固に保持されるので、トレースが容易にできる。又トレーシングペーパーを破ることなく取外すことが可能である。
【００１５】
本考案は建築士用作図帳として持運び並びに取扱いが極めて便利で、かつ顧客向けプレゼンテーション時にとくにその効果を発揮する。
【図面の簡単な説明】
【００１６】
【図１】図１は本作図帳の表紙の外観を示す図、
【図２】図２は作図用紙を見開きにした図で上側は方眼のガイドラインが入っており、下側はその裏面でパースガイド、すなわち遠近図法のガイドラインの入っている作図用紙を開けた状態を示す図である。
【図３】図３はトレーシングペーパーの連綴個所を拡大して示す図、
【図４】図４はトレーシングペーパーを留め金具に装着する状態の説明図である。
【図１】
0003113726.tif 000003
【図２】
0003113726.tif 000004
【図３】
0003113726.tif 000005
【図４】
0003113726.tif 000006